【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
プラスチゾルであって、
Ａ．可融性有機ポリマーの粒子を含む分散相と、
Ｂ．１）前記ポリマー用の可塑剤および２）前記液相の全重量に対して５から５５重量％の有機希釈剤を含む液相と、
を含むプラスチゾルであって、
前記プラスチゾルの液相の成分に関する個々のＨｉｌｄｅｂｒａｎｄ溶解度パラメータ値の重量平均が、前記ポリマーのＨｉｌｄｅｂｒａｎｄ溶解度パラメータ値とは±０．６から±１．０だけ異なることを特徴とするプラスチゾル。
【請求項２】
前記有機ポリマーは、塩化ビニルのホモポリマーと、塩化ビニルおよびオレフィン系炭化水素のコポリマーと、エチレン系不飽和酸のホモポリマーおよびコポリマーと、これらのエステルとからなる群から選択されることを特徴とする請求項１に記載のプラスチゾル。
【請求項３】
前記ポリマーは、塩化ビニルのホモポリマーおよびコポリマーからなる群から選択され、前記可塑剤は、安息香酸および２価アルコールのジエステルと、フタル酸および１価アルコールのジエステルとからなる群から選択された少なくとも１種の要素であることを特徴とする請求項２に記載のプラスチゾル。
【請求項４】
前記可塑剤は、安息香酸とジエチレングリコール、トリエチレングリコール、プロピレングリコール、ジプロピレングリコール、および１，３−ブタンジオールとのジエステルからなる群から選択された少なくとも１種の要素であることを特徴とする請求項３に記載のプラスチゾル。
【請求項５】
前記プラスチゾルは、充填剤、顔料、熱安定剤、潤滑剤、難燃剤、リン酸エステル、発泡剤、発泡触媒、界面活性剤、およびＵＶ吸収剤からなる群から選択された少なくとも１種の成分をさらに含むことを特徴とする請求項１に記載のプラスチゾル。
【請求項６】
前記可融性有機ポリマーは、分散級およびブレンド級のポリ塩化ビニルのブレンドであり、可塑剤は、ジエチレングリコールおよびジプロピレングリコールのジベンゾエートのブレンドであることを特徴とする請求項１に記載のプラスチゾル。
【請求項７】
希釈剤は、脂環式炭化水素と、直鎖状および分枝状パラフィン系炭化水素の両方との液体混合物を含むことを特徴とする請求項６に記載のプラスチゾル。
【請求項８】
前記液相は、安息香酸と２から８個の炭素原子を含有する脂肪族ジオールとのモノエステル、安息香酸と１価アルコールとのエステル、２から８個の炭素原子を含有する脂肪族ジオールと２から８個の炭素原子を含有するカルボン酸とから得られる液体エステルからなる群から選択された少なくとも１種の補助可塑剤をさらに含むことを特徴とする請求項７に記載のプラスチゾル。
【請求項９】
前記補助可塑剤は、安息香酸と１価アルコールとの少なくとも１種のエステルであることを特徴とする請求項８に記載のプラスチゾル。
【請求項１０】
フィルム形成成分として請求項１に記載のプラスチゾルを含むコーティング組成物であって、浸漬、噴霧、またはローラの使用によって基材に付着させるのに有効であることを特徴とする組成物。
【請求項１１】
前記基材は、弾力性床仕上げ材、壁装材、および金属表面を製作するための布地からなる群から選択されることを特徴とする請求項１０に記載のコーティング組成物。
【請求項１２】
自立型フィルムを調製するのに有効な組成物であって、フィルム形成成分として請求項１に記載のプラスチゾルを含むことを特徴とする組成物。
【請求項１３】
成型品を提供するのに有効な成型組成物であって、請求項１に記載のプラスチゾル組成物を含むことを特徴とする成型組成物。
【請求項１４】
コーティング結合剤を提供するのに有効なプラスチゾル組成物であって、プラスチゾルが、
Ａ．可融性有機ポリマーの粒子を含む分散相と、
Ｂ．液相、即ち１）前記ポリマー用の可塑剤および２）前記液相の全重量に対して５から５５重量％の有機希釈剤を含む液相と、
を含み、前記プラスチゾルの液相の成分に関する個々のＨｉｌｄｅｂｒａｎｄ溶解度パラメータ値の重量平均が、前記ポリマーのＨｉｌｄｅｂｒａｎｄ溶解度パラメータ値とは±０．６から±１．０だけ異なることを特徴とするプラスチゾル組成物。
【請求項１５】
前記有機ポリマーは、塩化ビニルのホモポリマーと、塩化ビニルおよびオレフィン系炭化水素のコポリマーと、エチレン系不飽和酸のホモポリマーおよびコポリマーと、これらのエステルとからなる群から選択されることを特徴とする請求項１４に記載のプラスチゾル組成物。
【請求項１６】
前記ポリマーは、塩化ビニルのホモポリマーおよびコポリマーからなる群から選択され、前記可塑剤は、安息香酸および２価アルコールのジエステルと、フタル酸および１価アルコールのジエステルとからなる群から選択された少なくとも１種の要素であることを特徴とする請求項１５に記載のプラスチゾル組成物。
【請求項１７】
前記可塑剤は、安息香酸とジエチレングリコール、トリエチレングリコール、プロピレングリコール、ジプロピレングリコール、および１，３−ブタンジオールとのジエステルからなる群から選択された少なくとも１種の要素であることを特徴とする請求項１６に記載のプラスチゾル組成物。
【請求項１８】
前記プラスチゾルは、充填剤、顔料、熱安定剤、潤滑剤、難燃剤、リン酸エステル、発泡剤、発泡触媒、界面活性剤、およびＵＶ吸収剤からなる群から選択された少なくとも１種の成分をさらに含むことを特徴とする請求項１４に記載のプラスチゾル組成物。
【請求項１９】
前記可融性有機ポリマーは、分散級およびブレンド級のポリ塩化ビニルのブレンドであり、可塑剤は、ジエチレングリコールおよびジプロピレングリコールのジベンゾエートのブレンドであることを特徴とする請求項１４に記載のプラスチゾル組成物。
【請求項２０】
希釈剤は、脂環式炭化水素と、直鎖状および分枝状パラフィン系炭化水素の両方とから本質的になる液体混合物を含むことを特徴とする請求項１９に記載のプラスチゾル組成物。
【請求項２１】
前記液相は、安息香酸と２から８個の炭素原子を含有する脂肪族ジオールとのモノエステル、安息香酸と１価アルコールとのエステル、２から８個の炭素原子を含有する脂肪族ジオールと２から８個の炭素原子を含有するカルボン酸とから得られた液体エステルからなる群から選択された少なくとも１種の補助可塑剤をさらに含むことを特徴とする請求項２０に記載のプラスチゾル組成物。
【請求項２２】
前記補助可塑剤は、安息香酸と１価アルコールとの少なくとも１種のエステルであることを特徴とする請求項２１に記載のプラスチゾル組成物。
【請求項２３】
可融性有機ポリマーの粒子を含む分散相と、液相、即ち前記ポリマー用の可塑剤および前記液相の全重量に対して５から５５重量％の有機希釈剤を含む液相とをブレンドするステップを含み、
前記プラスチゾルの液相の成分に関する個々のＨｉｌｄｅｂｒａｎｄ溶解度パラメータ値の重量平均が、前記ポリマーのＨｉｌｄｅｂｒａｎｄ溶解度パラメータ値とは±０．６から±１．０だけ異なることを特徴とするプラスチゾル組成物の調製方法。
【請求項２４】
前記有機ポリマーは、塩化ビニルのホモポリマーと、塩化ビニルおよびオレフィン系炭化水素のコポリマーと、エチレン系不飽和酸のホモポリマーおよびコポリマーと、これらのエステルとからなる群から選択されることを特徴とする請求項２３に記載の方法。
【請求項２５】
前記ポリマーは、塩化ビニルのホモポリマーおよびコポリマーからなる群から選択され、前記可塑剤は、安息香酸および２価アルコールのジエステルと、フタル酸および１価アルコールのジエステルとからなる群から選択された少なくとも１種の要素であることを特徴とする請求項２４に記載の方法。
【請求項２６】
前記可塑剤は、安息香酸とジエチレングリコール、トリエチレングリコール、プロピレングリコール、ジプロピレングリコール、および１，３−ブタンジオールとのジエステルからなる群から選択された少なくとも１種の要素であることを特徴とする請求項２５に記載の方法。
【請求項２７】
前記プラスチゾルは、充填剤、顔料、熱安定剤、潤滑剤、難燃剤、リン酸エステル、発泡剤、発泡触媒、界面活性剤、およびＵＶ吸収剤からなる群から選択された少なくとも１種の成分をさらに含むことを特徴とする請求項２３に記載の方法。
【請求項２８】
前記可融性有機ポリマーは、分散級およびブレンド級のポリ塩化ビニルのブレンドであり、可塑剤は、ジエチレングリコールおよびジプロピレングリコールのジベンゾエートのブレンドであることを特徴とする請求項２３に記載の方法。
【請求項２９】
希釈剤は、脂環式炭化水素と、直鎖状および分枝状パラフィン系炭化水素の両方とから本質的になる液体混合物を含むことを特徴とする請求項２８に記載の方法。
【請求項３０】
前記液相は、安息香酸と２から８個の炭素原子を含有する脂肪族ジオールとのモノエステル、安息香酸と１価アルコールとのエステル、２から８個の炭素原子を含有する脂肪族ジオールと２から８個の炭素原子を含有するカルボン酸とから得られる液体エステルからなる群から選択された少なくとも１種の補助可塑剤をさらに含むことを特徴とする請求項２９に記載の方法。
【請求項３１】
前記補助可塑剤は、安息香酸と１価アルコールとの少なくとも１種のエステルであることを特徴とする請求項３０に記載の方法。
【請求項３２】
２，２，４−トリメチル−１，３−ペンタンジオールのモノおよびジイソブチレートのエステルと有機希釈剤とを含む液体ブレンドであって、有機希釈剤が、脂環式炭化水素と直鎖状および分枝状パラフィン系炭化水素の両方とのブレンドであり、液体ブレンドが混和性であることを特徴とする液体ブレンド。